(57)【要約】【課題】コネクタハウジング内における雌端子金具の傾きの増加を招くことなく、雌端子金具の軸方向長さの短縮によって端子金具やコネクタハウジングの小型化を図ることのできるコネクタハウジング内における雌端子金具の位置決め構造を提供すること。【解決手段】雌端子金具２０の被覆固定部２３は、電線１３０の断面積に応じて成形幅寸法を拡縮することで、被覆加締め片２３ｂの加締め付けた後の成形高さ寸法が常に規定値に規制され、コネクタハウジング１０には、２つの基準位置当接部として、雌端子金具２０の先端筒状部２１の先端外周縁２１ｘが当接する筒部先端当接部１２と、成形高さ寸法に規制された被覆加締め片２３ｂの上端面２３１が当接する固定部上面当接部１３と、を備える。【選択図】図１
2014078345.tif 000002
【特許請求の範囲】
【請求項１】
雌端子金具を収容するコネクタハウジングには、前記雌端子金具上の軸方向に離間した２つの位置決め基準位置に当接する２つの基準位置当接部を備え、２つの前記基準位置当接部の当接により前記雌端子金具の傾きを規制するコネクタハウジング内における雌端子金具の位置決め構造であって、
前記雌端子金具は、接続相手となる雄端子金具が嵌合する先端筒状部と、電線の導体部に加締め付ける導体加締め片を備えると共に前記先端筒状部の後方に連続して設けられて、前記導体加締め片の加締め付けにより前記導体部との導通接続を果たす導体接続部と、前記電線の外被の上に加締め付ける被覆加締め片を備えると共に前記導体接続部の後方に連続して設けられて、前記被覆加締め片の加締め付けにより前記電線の固定を果たす被覆固定部と、を備え、且つ、前記被覆固定部は、前記電線の断面積に応じて成形幅寸法を拡縮することで、前記被覆加締め片の加締め付けた後の成形高さ寸法が常に規定値に規制され、
前記コネクタハウジングには、２つの前記基準位置当接部として、前記先端筒状部の先端外周縁が当接する筒部先端当接部と、成形高さ寸法に規制された前記被覆加締め片の上端面が当接する固定部上面当接部と、を備えたことを特徴とするコネクタハウジング内における雌端子金具の位置決め構造。
【請求項２】
前記被覆固定部の被覆加締め片は、成形高さ寸法に規制された前記上端面の幅方向中央部で内側に折り曲げられた先端折り曲げ部の先端面で前記電線を押圧することで、固定した前記電線の上端面位置を、成形高さ寸法の上端面位置から前記先端折り曲げ部の長さ分だけ下がった位置に設定していることを特徴とする請求項１に記載のコネクタハウジング内における雌端子金具の位置決め構造。
【発明の詳細な説明】
【技術分野】
【０００１】
本発明は、コネクタハウジング内における雌端子金具の位置決め構造に関する。
【背景技術】
【０００２】
図６は、下記特許文献１に記載された雌端子金具である。
この雌端子金具１１０は、金属板のプレス成形品で、接続相手となる舌片状の雄端子金具１２０が嵌合する先端筒状部１１１と、この先端筒状部１１１の後方に連続して設けられた導体接続部１１２と、この導体接続部１１２の後方に連続して設けられた被覆固定部１１３と、を備えている。
【０００３】
先端筒状部１１１は、舌片状の雄端子金具１２０が挿抜可能な角筒状で、筒内に、雄端子金具１２０を挟持するための板ばね１１５を備えている。板ばね１１５は、先端筒状部１１１の底壁１１１ａに折り曲げ形成されたばね保持部１１６によって、保持されている。板ばね１１５は、先端筒状部１１１の上部壁１１１ｂに向かって凸に湾曲した板ばねで、先端筒状部１１１の上部壁１１１ｂとの間に雄端子金具１２０を挟持することで、先端筒状部１１１と雄端子金具１２０とを導通状態にする。
【０００４】
導体接続部１１２は、先端筒状部１１１の底壁１１１ａを延長した底壁部１１２ａの両側部に、電線１３０の導体部１３１に加締め付ける導体加締め片１１２ｂを備える。導体接続部１１２は、導体加締め片１１２ｂの加締め付けにより、導体部１３１との導通接続を果たす。
【０００５】
被覆固定部１１３は、導体接続部１１２の底壁部１１２ａを延長した底壁部１１３ａの両側部に、電線１３０の外被１３２の上に加締め付ける被覆加締め片１１３ｂを備える。被覆固定部１１３は、被覆加締め片１１３ｂの加締め付けにより、電線１３０の固定を果たす。
【０００６】
図７は、上記の雌端子金具１１０を収容したコネクタハウジング２１０の従来例を示している。コネクタハウジング２１０は、合成樹脂の射出成形品で、収容した雌端子金具１１０を、第１の基準位置当接部２１１と、第２の基準位置当接部２１２と、で位置決めする。
【０００７】
第１の基準位置当接部２１１は、先端筒状部１１１の先端に設定された第１の位置決め基準位置Ｐ１に当接することで、雌端子金具１１０の先端位置を位置決めする。第１の位置決め基準位置Ｐ１は、先端筒状部１１１の先端に突出したばね保持部１１６の先端面である。
【０００８】
第２の基準位置当接部２１２は、先端筒状部１１１の後端に設定された第２の位置決め基準位置Ｐ２に当接することで、先端筒状部１１１の後端位置を位置決めする。第２の位置決め基準位置Ｐ２は、先端筒状部１１１の上部壁１１１ｂの後端面である。
【０００９】
図７のコネクタハウジング２１０は、２つの基準位置当接部２１１，２１２を雌端子金具１１０に当接させることによって、雌端子金具１１０の軸線の傾きを規制する。
【先行技術文献】
【特許文献】
【００１０】
【特許文献１】特開平１１−２９７３９２号公報
【発明の概要】
【発明が解決しようとする課題】
【００１１】
ところで、車載のワイヤハーネスに使用されるコネクタハウジングは、小型化や軽量化が重要課題とされている。そして、コネクタハウジングの小型化には、該コネクタハウジングが収容する雌端子金具の軸方向長さを短縮することが極めて有効である。
【００１２】
ところが、従来の位置決め構造の場合は、雌端子金具１１０の雄端子金具１２０の長さを短縮すると、それに伴い、２つの基準位置当接部２１１，２１２を当接させるスパン（離間距離）も短縮されるため、雌端子金具１１０の傾きを規制する力が低下してしまう。その結果、雌端子金具１１０に発生する傾きが増加し、コネクタハウジング２１０を相手のコネクタハウジングに嵌合させた際に、端子金具同士の衝突（どつき）や嵌合不良等の不都合が発生するおそれがあった。
【００１３】
上記の理由から、現実的には、雌端子金具１１０の軸方向長さの短縮によってコネクタハウジング２１０を小型化することが難しいという問題があった。
【００１４】
そこで、本発明の目的は、上記課題を解消することに係り、コネクタハウジング内における雌端子金具の傾きの増加を招くことなく、雌端子金具の軸方向長さの短縮によって端子金具やコネクタハウジングの小型化を図ることのできるコネクタハウジング内における雌端子金具の位置決め構造を提供することにある。
【課題を解決するための手段】
【００１５】
本発明の前述した目的は、下記の構成により達成される。
（１）  雌端子金具を収容するコネクタハウジングには、前記雌端子金具上の軸方向に離間した２つの位置決め基準位置に当接する２つの基準位置当接部を備え、２つの前記基準位置当接部の当接により前記雌端子金具の傾きを規制するコネクタハウジング内における雌端子金具の位置決め構造であって、
前記雌端子金具は、接続相手となる雄端子金具が嵌合する先端筒状部と、電線の導体部に加締め付ける導体加締め片を備えると共に前記先端筒状部の後方に連続して設けられて、前記導体加締め片の加締め付けにより前記導体部との導通接続を果たす導体接続部と、前記電線の外被の上に加締め付ける被覆加締め片を備えると共に前記導体接続部の後方に連続して設けられて、前記被覆加締め片の加締め付けにより前記電線の固定を果たす被覆固定部と、を備え、且つ、前記被覆固定部は、前記電線の断面積に応じて成形幅寸法を拡縮することで、前記被覆加締め片の加締め付けた後の成形高さ寸法が常に規定値に規制され、
前記コネクタハウジングには、２つの前記基準位置当接部として、前記先端筒状部の先端外周縁が当接する筒部先端当接部と、成形高さ寸法に規制された前記被覆加締め片の上端面が当接する固定部上面当接部と、を備えたことを特徴とするコネクタハウジング内における雌端子金具の位置決め構造。
【００１６】
（２）  前記被覆固定部の被覆加締め片は、成形高さ寸法に規制された前記上端面の幅方向中央部で内側に折り曲げられた先端折り曲げ部の先端面で前記電線を押圧することで、固定した前記電線の上端面位置を、成形高さ寸法の上端面位置から前記先端折り曲げ部の長さ分だけ下がった位置に設定していることを特徴とする上記（１）に記載のコネクタハウジング内における雌端子金具の位置決め構造。
【００１７】
上記（１）の構成によれば、コネクタハウジング内における雌端子金具の傾きの規制は、筒部先端当接部及び固定部上面当接部の２つの基準位置当接部によって、雌端子金具上の先端筒状部の先端外周縁と被覆加締め片の上端面との区間を挟むことで行う。雌端子金具上の先端外周縁から被覆加締め片の上端面までの距離は、雌端子金具の軸方向長さの略全長となる。即ち、上記（１）の構成では、コネクタハウジング内の２つの基準位置当接部を当接させるスパンが、当該雌端子金具の軸方向長さの略全長に及んでいる。そのため、雌端子金具の先端筒状部を２つの基準位置当接部によって挟む従来の位置決め構造の場合と比較すると、雌端子金具の軸方向の長さを短縮した場合でも、２つの基準位置当接部で挟むスパンを従来より（短縮前の先端筒状部の長さより）も大きく維持することができ、コネクタハウジング内における雌端子金具の傾きの増加を招くことがない。
【００１８】
したがって、コネクタハウジング内における雌端子金具の傾きの増加を招くことなく、雌端子金具の軸方向長さの短縮によって端子金具やコネクタハウジングの小型化を図ることができる。
【００１９】
上記（２）の構成によれば、コネクタハウジング内の固定部上面当接部が被覆固定部の上端面に当接する際に、被覆加締め片の板厚以上に大きな係り代を確保しても、固定部上面当接部が電線と干渉するおそれがなく、固定部上面当接部に充分な係り代を確保して、しっかりと被覆固定部を位置決めすることが可能になる。
【発明の効果】
【００２０】
本発明によるコネクタハウジング内における雌端子金具の位置決め構造によれば、コネクタハウジング内における雌端子金具の傾きの増加を招くことなく、雌端子金具の軸方向長さの短縮によって端子金具やコネクタハウジングの小型化を図ることができる。
【図面の簡単な説明】
【００２１】
【図１】図１は本発明に係るコネクタハウジング内における雌端子金具の位置決め構造の一実施形態の縦断面図である。
【図２】図２は図１に示した雌端子金具の斜視図である。
【図３】図３（ａ）は雌端子金具の短縮化する前の元の寸法図であり、図３（ｂ）は短縮化した図２の雌端子金具の寸法図である。
【図４】図４は図１に示した雌端子金具の被覆固定部における横断面図である。
【図５】図５は本発明に係る雌端子金具において、断面積の小さい電線を把持した場合の被覆固定部における横断面図である。
【図６】図６は従来のコネクタハウジング内に位置決めされる雌端子金具の斜視図である。
【図７】図７は従来のコネクタハウジング内における雌端子金具の位置決め構造の縦断面図である。
【発明を実施するための形態】
【００２２】
以下、本発明に係るコネクタハウジング内における雌端子金具の位置決め構造の好適な実施形態について、図面を参照して詳細に説明する。
【００２３】
図１〜図５は本発明に係るコネクタハウジング内における雌端子金具の位置決め構造の一実施形態を示したもので、図１は本発明に係るコネクタハウジング内における雌端子金具の位置決め構造の一実施形態の縦断面図、図２は図１に示した雌端子金具の斜視図、図３（ａ）は雌端子金具の短縮化する前の元の寸法図であり、図３（ｂ）は短縮化した図２の雌端子金具の寸法図、図４は図１に示した雌端子金具の被覆固定部における横断面図、図５は本発明に係る雌端子金具において、断面積の小さい電線を把持した場合の被覆固定部における横断面図である。
【００２４】
この一実施形態のコネクタハウジング内における雌端子金具の位置決め構造は、図１に示すように、コネクタハウジング１０に収容した雌端子金具２０の傾きを、筒部先端当接部１２と、固定部上面当接部１３との２つの当接部によって、許容範囲内に規制するものである。
【００２５】
まず、雌端子金具２０の構造を、図２〜図４に基づいて説明する。
本実施形態における雌端子金具２０は、接続相手となる雄端子金具１２０（図６参照）が嵌合する先端筒状部２１と、この先端筒状部２１の後方に連続して設けられた導体接続部２２と、この導体接続部２２の後方に連続して設けられた被覆固定部２３と、を備えている。
【００２６】
先端筒状部２１は、図６に示した舌片状の雄端子金具１２０が挿抜可能な角筒状で、底壁２１ａと、この底壁２１ａの両側縁から立ち上がる一対の側壁部２１ｂと、底壁２１ａと対向するように左右一対の側壁２１ｂの上縁から延出した一対の上部壁２１ｃとを備えている。この先端筒状部２１は、筒内に、雄端子金具１２０を底壁２１ａとの間に挟持するための板ばね２１ｄを備えている。
【００２７】
導体接続部２２は、先端筒状部２１の底壁２１ａを延長した底壁部２２ａの両側部に、電線１３０の導体部１３１に加締め付ける導体加締め片２２ｂを備える。導体接続部２２は、導体加締め片２２ｂの加締め付けにより、導体部１３１との導通接続を果たす。
【００２８】
被覆固定部２３は、導体接続部２２の底壁部２２ａを延長した底壁部２３ａの両側部に、電線１３０の外被１３２の上に加締め付ける被覆加締め片２３ｂを備える。被覆固定部２３は、被覆加締め片２３ｂの加締め付けにより、電線１３０の固定を果たす。
【００２９】
図３（ｂ）は、上記一実施形態の雌端子金具２０の各部の軸方向の寸法（単位はｍｍ）を示したものである。図３（ｂ）に示した雌端子金具２０は、図３（ａ）に示す短縮化前の従来の雌端子金具２０Ａの各部の寸法が短縮されている。例えば、従来は先端筒状部２１Ａの長さが１２．０ｍｍであったが、本実施形態の先端筒状部２１は従来の半分の６．０ｍｍに短縮されている。図３（ｂ）に示した本実施形態の雌端子金具２０は、殆ど全ての区間が短縮化され、全長は１６．５ｍｍに短縮されている。本実施形態の雌端子金具２０の全長は、図３（ａ）に示した従来の雌端子金具２０Ａにおける先端筒状部２１Ａの長さ１２．０ｍｍよりも大きく設定されている。
【００３０】
本実施形態の被覆固定部２３は、図４に示すように、電線１３０の断面積に応じて成形幅寸法Ｗ２を拡縮することで、被覆加締め片２３ｂの電線１３０に加締め付けた後の成形高さ寸法Ｈｍが常に規定値に規制される。
【００３１】
具体的には、図５に示すように、電線１３０の断面積の相違のために、成形幅寸法がＷ１となる場合でも、成形高さ寸法Ｈｍは維持されるように、被覆加締め片２３ｂの各部の折り曲げが調整される。
【００３２】
また、本実施形態の場合、図４及び図５に示すように、被覆固定部２３の被覆加締め片２３ｂは、成形高さ寸法Ｈｍに規制された上端面２３１の幅方向中央部で内側に折り曲げられた先端折り曲げ部２３ｃの先端面２３２で電線１３０を押圧することで、固定した電線１３０の上端面位置を、成形高さ寸法Ｈｍの上端面２３１位置から前記先端折り曲げ部２３ｃの長さ分Ｌ１，Ｌ２だけ下がった位置に設定している。
【００３３】
図１に示すように、以上に説明した雌端子金具２０において、先端筒状部２１の先端外周縁２１ｘと、成形高さ寸法Ｈｍに規制された被覆加締め片２３ｂの上端面２３１とは、雌端子金具２０の軸方向（図１の矢印Ｘ方向）に離間した２つの位置決め基準位置である。
【００３４】
本実施形態のコネクタハウジング１０は、雌端子金具２０を収容する端子挿入孔１１に臨んで、筒部先端当接部１２と、固定部上面当接部１３と、筒部押さえ片１４と、を備えている。
【００３５】
筒部先端当接部１２及び固定部上面当接部１３は、雌端子金具２０上の２つの位置決め基準位置に当接する２つの基準位置当接部として、設けられた当接部である。
筒部先端当接部１２は、雌端子金具２０の先端筒状部２１の先端外周縁２１ｘが当接することで、雌端子金具２０の先端位置を規制する。
【００３６】
固定部上面当接部１３は、成形高さ寸法Ｈｍに規制された雌端子金具２０の被覆加締め片２３ｂの上端面２３１が当接する。上端面２３１は、雌端子金具２０の挿入方向に沿って延在する平坦面で、上端面２３１に当接することによって、雌端子金具２０の先端外周縁２１ｘを支点とした回動挙動を規制する。
【００３７】
本実施形態のコネクタハウジング１０では、筒部先端当接部１２と固定部上面当接部１３とは、協働で、雌端子金具２０の傾きを規制する。
【００３８】
更に、本実施形態の場合、筒部押さえ片１４は、雌端子金具２０の先端筒状部２１の上面を所定の弾性力で押さえていて、先端筒状部２１の挿入方向と直交する方向へのガタつきを防止する。この筒部押さえ片１４には、先端筒状部２１の上面の後端に係合して雌端子金具２０の抜けを防止する係止突起（不図示）を設けるようにしても良い。
【００３９】
以上に説明した一実施形態のコネクタハウジング内における雌端子金具の位置決め構造の場合、コネクタハウジング１０内における雌端子金具２０の傾きの規制は、筒部先端当接部１２及び固定部上面当接部１３の２つの基準位置当接部によって、雌端子金具２０上の先端筒状部２１の先端外周縁２１ｘと被覆加締め片２３ｂの上端面２３１との区間を挟むことで行う。雌端子金具２０上の先端外周縁２１ｘから被覆加締め片２３ｂの上端面２３１までの距離は、雌端子金具２０の軸方向長さの略全長となる。即ち、一実施形態の構成では、コネクタハウジング１０内の２つの基準位置当接部を当接させるスパンが、当該雌端子金具２０の軸方向長さの略全長に及んでいる。そのため、雌端子金具２０の先端筒状部２１を２つの基準位置当接部によって挟む従来の位置決め構造の場合と比較すると、雌端子金具２０の軸方向の長さを短縮した場合でも、２つの基準位置当接部で挟むスパンを従来より（短縮前の先端筒状部２１の長さより）も大きく維持することができ、コネクタハウジング１０内における雌端子金具２０の傾きの増加を招くことがない。
【００４０】
したがって、コネクタハウジング１０内における雌端子金具２０の傾きの増加を招くことなく、雌端子金具２０の軸方向長さの短縮によって端子金具やコネクタハウジング１０の小型化を図ることができる。
【００４１】
また、以上に説明した一実施形態のコネクタハウジング内における雌端子金具の位置決め構造の場合、コネクタハウジング１０内の固定部上面当接部１３が被覆固定部２３の上端面２３１に当接する際に、例えば固定部上面当接部１３には係止突起１５（図１参照）を突設しておいて、被覆加締め片２３ｂの板厚以上に大きな係り代を確保しても、固定部上面当接部１３が電線１３０と干渉するおそれがなく、固定部上面当接部１３に充分な係り代を確保して、しっかりと被覆固定部２３を位置決めすることが可能になる。
【００４２】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４３】
例えば、固定部上面当接部１３は、雌端子金具の挿入方向に沿って延出する弾性片によって提供し、該固定部上面当接部１３上には、雌端子金具の抜けを防止するための端子係止突起を設けるようにしても良い。
【００４４】
ここで、上述した本発明に係るコネクタハウジング内における雌端子金具の位置決め構造の実施形態の特徴をそれぞれ以下［１］〜［２］に簡潔に纏めて列記する。
【００４５】
［１］  雌端子金具（２０）を収容するコネクタハウジング（１０）には、前記雌端子金具（２０）上の軸方向に離間した２つの位置決め基準位置に当接する２つの基準位置当接部を備え、２つの前記基準位置当接部の当接により前記雌端子金具（２０）の傾きを規制するコネクタハウジング内における雌端子金具の位置決め構造であって、
前記雌端子金具（２０）は、接続相手となる雄端子金具が嵌合する先端筒状部（２１）と、電線（１３０）の導体部（１３１）に加締め付ける導体加締め片（２２ｂ）を備えると共に前記先端筒状部（２１）の後方に連続して設けられて、前記導体加締め片（２２ｂ）の加締め付けにより前記導体部（１３１）との導通接続を果たす導体接続部（２２）と、前記電線（１３０）の外被の上に加締め付ける被覆加締め片（２３ｂ）を備えると共に前記導体接続部（２２）の後方に連続して設けられて、前記被覆加締め片（２３ｂ）の加締め付けにより前記電線（１３０）の固定を果たす被覆固定部（２３）と、を備え、且つ、前記被覆固定部（２３）は、前記電線（１３０）の断面積に応じて成形幅寸法を拡縮することで、前記被覆加締め片（２３ｂ）の加締め付けた後の成形高さ寸法が常に規定値に規制され、
前記コネクタハウジング（１０）には、２つの前記基準位置当接部として、前記先端筒状部（２１）の先端外周縁（２１ｘ）が当接する筒部先端当接部（１２）と、成形高さ寸法に規制された前記被覆加締め片（２３ｂ）の上端面（２３１）が当接する固定部上面当接部（１３）と、を備えたことを特徴とするコネクタハウジング内における雌端子金具の位置決め構造。
【００４６】
［２］  前記被覆固定部（２３）の被覆加締め片（２３ｂ）は、成形高さ寸法に規制された前記上端面（２３１）の幅方向中央部で内側に折り曲げられた先端折り曲げ部（２３ｃ）の先端面（２３２）で前記電線（１３０）を押圧することで、固定した前記電線（１３０）の上端面位置を、成形高さ寸法の上端面位置から前記先端折り曲げ部（２３ｃ）の長さ分だけ下がった位置に設定していることを特徴とする上記［１］に記載のコネクタハウジング内における雌端子金具の位置決め構造。
【符号の説明】
【００４７】
１０  コネクタハウジング
１２  筒部先端当接部
１３  固定部上面当接部
２０  雌端子金具
２１  先端筒状部
２１ｘ  先端外周縁
２２  導体接続部
２２ｂ  導体加締め片
２３  被覆固定部
２３ｂ  被覆加締め片
２３ｃ  先端折り曲げ部
１３０  電線
１３１  導体部
２３１  上端面
【図１】
2014078345.tif 000003
【図２】
2014078345.tif 000004
【図３】
2014078345.tif 000005
【図４】
2014078345.tif 000006
【図５】
2014078345.tif 000007
【図６】
2014078345.tif 000008
【図７】
2014078345.tif 000009